(57)【要約】【課題】所定の状況でユーザの意思にしたがって、しかも切替の都度手動操作を行うことなく、利用する無線通信システムを所望の無線通信システムに切り替える。【解決手段】携帯通信端末１００は複数の無線通信手段を備えるとともに、外部端末３０１，３０２との間で非接触通信を行う非接触通信手段を備える。携帯通信端末１００は、非接触通信の実行を契機として複数の無線通信手段のいずれを利用するかを切り替える。例えば、携帯通信端末１００が外部端末３０１を通過する際、その利用する無線通信手段を第１の無線通信手段（例えば構内電話ワイヤレス子機モード）に切り替え、外部端末３０２を通過する際、第２の無線通信手段（例えばデジタルセルラ通信方式モード）に切り替える。【選択図】図１
2006033552.tif 000002
【特許請求の範囲】
【請求項１】
外部端末装置との間で非接触通信を行う非接触通信手段と、
複数の無線通信システムに係る複数の無線通信手段と、
前記非接触通信手段による前記外部端末装置との非接触通信の実行を契機として前記複数の無線通信手段のいずれを利用するかを切り替える制御手段と、
を備えたことを特徴とする携帯通信端末装置。
【請求項２】
前記複数の無線通信システムは、デジタルセルラ方式の携帯電話、ワイヤレスＬＡＮ、構内電話のワイヤレス子機、Ｂｌｕｅｔｏｏｔｈ（商標）、ＩＰ電話、ＰＨＳのうちの少なくとも二つであることを特徴とする請求項１記載の携帯通信端末装置。
【請求項３】
前記制御手段は、前記外部端末装置からの特定の無線通信システムへの切替指示を受けて当該無線通信システムへの切替を行うことを特徴とする請求項１または２記載の携帯通信端末装置。
【請求項４】
前記制御手段は、前記外部端末装置との非接触通信の実行時に、ユーザに対して選択可能な無線通信システムを提示し、ユーザの選択結果に応じて無線通信システムの切替を行うことを特徴とする請求項１または２記載の携帯通信端末装置。
【請求項５】
前記制御手段は、一旦選択された無線通信システムを当該外部端末装置の端末識別情報とともに記憶しておき、次回の非接触通信の実行時に同じ外部端末装置の端末識別情報を認識したとき前記記憶した無線通信システムへの切替を行うことを特徴とする請求項４記載の携帯通信端末装置。
【請求項６】
前記制御手段は、外部端末識別情報と無線通信システムとを対応づけた制御データテーブルを有し、外部端末装置から受信した外部端末識別情報に従って前記制御データテーブルを参照し、当該外部端末識別情報に対応づけられた無線通信システムを、利用する無線通信システムとして設定することを特徴とする請求項１記載の携帯通信端末装置。
【請求項７】
同一の外部端末装置との間での非接触通信機能による通信実行時に、携帯通信端末装置の現在の状態が第１の状態とこの第１の状態と逆の第２の状態のいずれにあるかを判別し、この判別結果に応じて無線通信システムの切替を行うことを特徴とする請求項１記載の携帯通信端末装置。
【請求項８】
同一の外部端末装置との間での非接触通信機能による通信実行との度に、交互に第１の無線通信システムと第２の無線通信システムとを交互に切り替えることを特徴とする請求項１または７記載の携帯通信端末装置。
【請求項９】
非接触通信機能と複数の無線通信システムに係る通信機能とを有し、非接触通信機能による通信実行を契機として、前記複数の無線通信システムに係る通信機能のうち利用する通信機能を自動的に切り替える無線通信システム切替手段を備えたことを特徴とする携帯通信端末装置。
【請求項１０】
非接触通信機能と複数の無線通信システムに係る複数の通信機能とを有し、所定の外部端末装置への接近時に当該外部端末装置から指定された無線通信システムに係る通信機能を有効にする無線通信システム切替手段を備えたことを特徴とする携帯通信端末装置。
【請求項１１】
非接触通信機能を有する携帯通信端末装置との間で非接触通信を行う外部端末装置であって、
前記携帯通信端末装置との非接触通信の実行時に前記携帯通信端末装置に対して、当該携帯通信端末装置が利用可能な複数の無線通信システムのうちのどの無線通信システムを利用すべきかを指定する情報を送信することを特徴とする外部端末装置。
【請求項１２】
前記どの無線通信システムを利用すべきかを指定する情報は個々の外部端末装置毎に予め設定されていることを特徴とする請求項１１記載の外部端末装置。
【請求項１３】
前記携帯通信端末装置との非接触通信の実行時の現在時刻に応じて、前記複数の無線通信システムのうちのどの無線通信システムを利用すべきかを指定することを特徴とする請求項１１記載の外部端末装置。
【請求項１４】
前記携帯通信端末に対して指定する無線通信システムを定めた制御データテーブルを備えたことを特徴とする請求項１２または１３記載の外部端末装置。
【請求項１５】
前記制御データテーブルを書き替える手段を備えたことを特徴とする請求項１４記載の外部端末装置。
【請求項１６】
非接触通信機能と複数の無線通信システムに係る複数の通信機能とを有する携帯通信端末装置において利用する無線通信システムを切り替える無線通信システム切替方法であって、
前記非接触通信機能を利用した外部端末装置との非接触無線通信を契機として、前記複数の無線通信システムに係る通信機能のうち利用する通信機能を自動的に切り替えることを特徴とする無線通信システム切替方法。
【発明の詳細な説明】
【技術分野】
【０００１】
本発明は、非接触ＩＣカード機能を備えた携帯通信端末装置およびその無線通信システム切替方法、ならびにこの携帯通信端末装置と非接触通信を行う外部端末装置に関するものである。
【背景技術】
【０００２】
携帯電話機は、電波の届く範囲内であればいつでもどこでも通話や通信を行うことができるため、急速に普及し、ほぼ必需品に近くなってきている。また、さらなる利便性の追求から、複数の無線通信システムに対応した携帯電話機が商用化されている。例えば携帯電話機能と構内電話のワイヤレス子機機能の両方を搭載する携帯電話機が既に商用化されている。この携帯電話機では、携帯電話機能と構内電話の子機機能の切り替えは、手動で行われる。これに対し、特許文献１には、基地局からの電波の受信レベルに応じてＰＤＣ（Personal Digital Cellular）モードとＰＨＳ:（Personal Handyphone System）モードを自動的に切り替える技術が開示されている。このような技術では、例えば携帯電話と構内電話のどちらの通信圏内かどうかを自動で判断して切り替えたり、さらには両システムの通信圏内である場合に通信状態のよいシステムと自動的に接続することが可能である。
【０００３】
一方、交通定期券、会社の出退勤管理、電子マネー、クレジットカード等の各種用途に利用できる非接触ＩＣカードも普及してきている。近年、このような非接触ＩＣカードの機能を携帯電話機に内蔵し、携帯電話機に開錠機能や打刻機能を持たせる技術が開発されている（例えば特許文献２参照）。特許文献３には、非接触ＩＣカード機能を備えた携帯電話機において、非接触ＩＣカード機能を利用したゲート通過時にその動作モード（いわゆるマナーモードと非マナーモード）を自動的に切り替える技術が開示されている。
【０００４】
また、無線通信システムの研究開発が進み、デジタルセルラシステムや構内無線通信システムなどの技術が実用化されている。
【特許文献１】特開２００２−２９１０１６号公報
【特許文献２】特開２００２−３３９６０８号公報
【特許文献３】特開２００３−６９６７０号公報
【発明の開示】
【発明が解決しようとする課題】
【０００５】
既存の無線通信システムには、移動性に優れているデジタルセルラシステム、コストメリットの高いＰＨＳシステムやその構内電話ワイヤレス子機機能、通信速度の高いワイヤレスＬＡＮ、等様々のものが存在し、これらの通信システムを同一の携帯通信端末装置において利用できる場合には、時間、場所、課金、通信速度、移動速度等の条件に合わせて適切な通信システムに切り替えられれば便利である。
【０００６】
従来の技術では、通信システムを切り替える操作はユーザが手動で行う場合、その都度手動操作するのはユーザにとって煩雑である。また、従来の自動で切替を行うものは、ユーザが意識しないうちに通信システムの切替が行われるため、必ずしもユーザの希望に沿った結果にならない。すなわち、ユーザが気づかないうちに意図しない切替が行われてしまうことがありうる。例えば、携帯通信端末装置のユーザは必ずしも通信状態の良好な通信システムの選択を希望するとは限らず、最終的には手動による選択が必要になる場合がある。
【０００７】
本発明は、このような背景においてなされたものであり、所定の状況でユーザの意思にしたがって、しかも切替の都度手動操作を行うことなく、利用する無線通信システムを所望の無線通信システムに切り替えることができる携帯通信端末装置、外部端末装置および無線通信システム切替方法を提供することを目的とする。
【課題を解決するための手段】
【０００８】
本発明による携帯通信端末装置は、外部端末装置との間で非接触通信を行う非接触通信手段と、複数の無線通信システムに係る複数の無線通信手段と、前記非接触通信手段による前記外部端末装置との非接触通信の実行を契機として前記複数の無線通信手段のいずれを利用するかを切り替える制御手段とを備えたことを特徴とする。
【０００９】
通常、携帯通信端末装置のユーザは非接触通信手段の利用時には端末装置を外部端末装置に対して接近させる等の意識的な操作を行う。したがって、非接触通信の実行を契機として複数の無線通信手段の切替を行うことにより、ユーザは無線通信手段の切替のための手動操作を行う必要がなく、また、その切替のタイミングはユーザに明確に認識される。
【００１０】
前記制御手段は、前記外部端末装置からの特定の無線通信システムへの切替指示を受けて当該無線通信システムへの切替を行うか、または、外部端末装置との非接触通信に応じて利用する無線通信システムを自律的に判断する。
【００１１】
本発明による外部端末装置は、非接触通信機能を有する携帯通信端末装置との間で非接触通信を行う外部端末装置であって、前記携帯通信端末装置との非接触通信の実行時に前記携帯通信端末装置に対して、当該携帯通信端末装置が利用可能な複数の無線通信システムのうちのどの無線通信システムを利用すべきかを指定する情報を送信することを特徴とする。
【００１２】
前記どの無線通信システムを利用すべきかを指定する情報は個々の外部端末装置毎に予め設定しておくことができる。
【００１３】
前記携帯通信端末装置との非接触通信の実行時の現在時刻に応じて、前記複数の無線通信システムのうちのどの無線通信システムを利用すべきかを指定するようにしてもよい。
【００１４】
本発明による無線通信システム切替方法は、非接触通信機能と複数の無線通信システムに係る複数の通信機能とを有する携帯通信端末装置において利用する無線通信システムを切り替える無線通信システム切替方法であって、前記非接触通信機能を利用した外部端末装置との非接触無線通信を契機として、前記複数の無線通信システムに係る通信機能のうち利用する通信機能を自動的に切り替えることを特徴とする。
【発明の効果】
【００１５】
本発明によれば、非接触通信手段と複数の無線通信システムに係る複数の通信手段を搭載する携帯通信端末において、利用可能な複数の無線通信システムのうちいずれのシステムを使用するかを、本来、非接触通信機能が利用される用途の利用動作に伴って切り替えることによって、端末の無線通信システムの切替をユーザが明確な意識をもって認識できる。
【００１６】
例えば非接触通信機能の用途が打刻である場合、出社時の打刻前まではプライベートな携帯電話として、打刻後の拘束時間は会社課金としてのオフィシャルな構内電話のワイヤレス子機として、ユーザの意図するタイミングに自動的に切り替えることによって、複数の通信システムの使い分けを簡単かつ正確に行うことができる。
【００１７】
いずれの場合も正確に無線システムの切り替えをユーザが認識できるタイミングで行うことができるので、エリアによって異なる使用可能な無線通信システムや、そのシステムによって異なる課金の扱いを、意図するタイミングで簡単に切り替えることができ、携帯通信端末装置のユーザ、および外部端末装置を管理する管理者にとって利便性が向上しコストメリットが発生する。
【発明を実施するための最良の形態】
【００１８】
以下、本発明の実施の形態について、図面を参照しながら詳細に説明する。
【００１９】
図１に、本実施の形態における典型的な実施の形態の模式図を示す。この実施の形態における携帯通信端末装置１００は、少なくともデジタルセルラ方式の携帯電話と構内電話のワイヤレス子機の通信システムを利用可能であり、好ましくは、さらに、ワイヤレスＬＡＮ、構内電話のワイヤレス子機、Ｂｌｕｅｔｏｏｔｈ（商標）、ＩＰ電話、ＰＨＳ等の他の通信システムを利用可能であってもよい。以下、端末装置は単に端末という。携帯通信端末１００は、本発明の非接触通信機能として、非接触ＩＣカード機能を備えており、いわゆるリーダまたはリーダ／ライタと呼ばれる外部端末３０１，３０２との間で無線通信を行う。外部端末３０１，３０２としては種々の用途のものがありうるが、図１では、会社等の構内における出退勤や入退場を管理するための出退勤（入退場）時刻を記録する打刻機として機能するものを示している。ここでは外部端末として、入場時と出場時で異なる外部端末を利用する例を示しているが、同一の外部端末を利用する構成であってもよい。すなわち、同一外部端末との通信で無線通信モードを切り替えてもよい。その場合の入出場の区別は携帯通信端末の現在の状態（第１の状態とこの第１の状態と逆の第２の状態）等によって判断することができる。
【００２０】
外部端末３０２はサーバ３１０と接続され、サーバコントローラ３１１によって遠隔操作が可能となっている。サーバコントローラ３１１を操作することによって、外部端末３０２の非接触ＩＣカード機能に対して送信する情報の更新や、外部端末３０２内のタイマ制御情報、すなわち何時から何時までの間に非接触ＩＣカードが接近した場合にはどのような情報を送信するかという情報の更新を行うことができる。
【００２１】
なお、図１には図示しないが、外部端末３０１も外部端末３０２と同様にサーバに接続されており、記憶されている制御情報の更新も同様に行うことができてもよい。また、外部端末３０１、３０２が有する操作部と表示部を使用して直接制御情報を入力するようにしてもよい。
【００２２】
図２に、本発明の非接触ＩＣカード機能を実装した携帯通信端末１００のブロック構成図を示す。
【００２３】
この携帯通信端末１００は、制御部（制御手段）５を中心とし、これに対してデジタル信号処理部３、表示部６、操作部７、外部Ｉ／Ｆ部８、電源部９、ＲＴＣ１６、非接触ＩＣカード部２０が接続されて構成される。制御部５は、携帯通信端末の機能を実現するための主要部であり、図示しないが、ＣＰＵ、ＥＥＰＲＯＭ、Ｆｌａｓｈ  ＲＯＭ、ＲＡＭ、等で構成される。制御部５は、本実施の形態では、さらに非接触ＩＣカード部２０との間でコマンドやデータの授受を行うためのカードインタフェースモジュール５１を含む。
【００２４】
デジタル信号処理部３は、マイク１５を接続した音声入力部１、スピーカ１０を接続した音声出力部２、アンテナ１２を接続したＲＦ入出力部４１、アンテナ１３を接続したＲＦ入出力部４２とそれぞれ接続され、デジタル音声信号のエンコード、および、デジタル音声信号へのデコード等を行うための部位であり、ＤＳＰ（Ｄｉｇｉｔａｌ  Ｓｉｇｎａｌ  Ｐｒｏｃｅｓｓｏｒ）を中心とした畳み込み符号化、スロットインターリーブ、遅延検波、畳み込み復号化、等の専用回路で構成される。本実施の形態の携帯通信端末は少なくとも無線通信システムを利用可能であり、アンテナとＲＦ入出力部とは、無線通信システム毎に内蔵されるのが通常なので、図の例では２系統図示してある。音声入力部１は、マイク１５からのアナログ音声信号をデジタル信号に変換する部位であり、マイクアンプ、フィルタ、Ａ／Ｄ変換器、等で構成される。音声出力部２は、受信したデジタル音声信号をスピー力駆動するための部位であり、Ｄ／Ａ変換器、フィルタ、スピーカアンプ、等で構成される。ＲＦ入出力部４は、高周波送受信を行う部位であり、直交変調器、ゲインアンプ、パワーアンプ、ダイバーシティー、ミキサー、ＩＦ復調器、等で構成される。
【００２５】
表示部６は、ユーザに対して情報を表示出力する部位であり、ＬＣＤドライバ、ＬＣＤ表示デバイス、等で構成される。操作部７は、ユーザが携帯通信端末１００に対して操作情報を入力するための部位であり、キーボード、ＪＯＧダイヤル、ＪＯＹスティック、等で構成される。外部Ｉ／Ｆ部８は、外部装置との間のインタフェースを提供する部位であり、通信インタフェース回路、１６ピンコネクタ、等で構成される。電源部９は、バッテリ電源を基に各ブロックに必要な電力を供給する部位であり、電源回路、バッテリヘの充電回路、および、過電流過電圧保護回路、等で構成される。ＲＴＣ(Real Time Clock)部１６はクロック信号に基づき、制御部５に日付および時刻情報を提供する。
【００２６】
非接触ＩＣカード部２０（通常ＩＣ化されている）は、制御部５のカードインタフェースモジュール５１と接続され、内部に専用のＣＰＵ２１、データやプログラム等を保持する不揮発性メモリであるＦｌａｓｈ  ＲＯＭ（ＭＥＭ）２２、無線通信部２３、その他図示しないインタフェース等を備える。非接触ＩＣカード部２０は、非接触型ＩＣカード機能の無線通信のためのアンテナ１１を介してＩＣカード対応の外部端末３００（図１の３０１、３０２に対応）との間でデータ等の授受を行う。
【００２７】
カードインタフェースモジュール５１は、制御部５の一部として組み込まれたものであり、ユーザと非接触ＩＣカード部２０との間でのユーザインターフェースと、非接触ＩＣカードインターフェースを兼ね備えたソフトウェアモジュールである。
【００２８】
外部端末３００のリーダ／ライタ（Ｒ／Ｗ）モジュール３１は、非接触ＩＣカード部２０との間でコマンドやデータを授受するためのものである。本実施の形態における外部端末３００は、例えば、打刻機、改札機、オートロック対応ドアの開閉ゲート等であり、非接触ＩＣカード部をかざす部分（アンテナ）を備えている。また、外部端末３００は、リーダ／ライタ（Ｒ／Ｗ）モジュール３１およびアンテナ３８の他、通常のコンピュータ装置と同様、ＣＰＵ３２、ＲＯＭやＲＡＭなどのメモリ（ＭＥＭ）３３、表示部３４、操作部３５、外部装置との通信を制御する外部Ｉ／Ｆ部３６、時計機能（タイマ）３７等を備えている。通常、外部端末３００は、外部Ｉ／Ｆ３６を介して、サービスプロバイダ（図１のサーバ３１０）に接続されている。
【００２９】
図２において、電話機機能は非接触ＩＣカード部２０とは別個に完結し、ＩＣカード機能は非接触ＩＣカード部２０で完結している。ただし、非接触ＩＣカード部２０から携帯通信端末の制御部５に信号線が接続されており、この信号線がゲート通過情報を伝えるものである、なお、本実施の形態の非接触ＩＣカード部２０の動作電力は電源部９から供給することができる例を示しているが、単体の非接触ＩＣカードのように外部端末からの電波により誘起される起電力を利用して動作してもよい。
【００３０】
以下、本実施の形態における動作例を説明する。
【００３１】
再度、図１を参照する。本実施の形態では、非接触ＩＣカード機能の本来の利用に付随して、携帯通信端末の動作モードを自動的に切り替える。図１の例では、非接触ＩＣカード部２０を備えたデジタルセルラ通信システムを有効と設定した携帯通信端末１００が、外部端末３０１を通過する際に、そこに設置された外部端末３０１との間で非接触ＩＣカード部２０が通信を行い、打刻、ドアの開錠等の所定の動作が行われる。このとき、本発明の一実施の形態では、携帯通信端末１００に対して選択すべき無線通信システム情報が送信される。この情報はさらに制御部５に送られる。
【００３２】
制御部５では、携帯通信端末１００の動作モードがデジタルセルラ通信システムから、構内電話のワイヤレス子機モードに切り替えられる。ユーザの打刻、開錠等のための非接触ＩＣカード機能の利用に伴って切替が行われるので、ユーザが正確に認識できるタイミングで、携帯通信端末は自動的にワイヤレス子機モードに切り替わる。なお、本実施の形態における「ワイヤレス子機モード」は例であって、ワイヤレスＬＡＮモードやＢｌｕｅｔｏｏｔｈ、ＩＰ電話モード等、他の無線通信システムの動作モードであってもよい。
【００３３】
外部端末３０１が無線通信システム情報を携帯通信端末１００に送信するか否かは実施の形態により異なりうる。非接触ＩＣカードシステムの応用範囲は多様であり、どのような種類の外部端末であるのかを識別することは可能である。すなわち、外部端末３０１は必ずしも無線通信システム情報を送信する必要はなく、携帯端末が外部端末３０１の種類を識別して切り替えるかどうかを判断するようにしてもよい。
【００３４】
「ワイヤレス子機モード」の携帯通信端末１００が外部端末３０２に接近して通信を行うことによって、再びデジタルセルラ通信システムモードに切り替わる。
【００３５】
図３は、本実施の形態における通信システム切替仕様５００の一例をテーブル形式で模式的に示している。これは、どのような外部端末情報（外部端末ＩＤ）毎に、利用する通信システムおよびその条件や外部端末からの指定の有無について規定したものである。「条件」の一例としてここでは「時間帯」を示している。図の例では、会社の打刻機の場合、外部端末Ａでは８：００−１７：００の時間帯に外部端末から携帯通信端末に対して「構内電話ワイヤレス子機」のモードに指定する情報を送信し、１７：００−８：００の時間帯に外部端末からの携帯通信端末に対して「デジタルセルラ」のモードに指定する情報を送信することが規定されている。外部端末Ｂの場合、時間帯に関係なく、携帯通信端末に対して、その入場時に「構内電話ワイヤレス子機」のモードに指定する情報を送信し、出場時に「デジタルセルラ」のモードに指定する情報を送信することが規定されている。
【００３６】
自宅のオートロックドアの例では、外部端末Ｃから、時間帯に関わらず、携帯通信端末がユーザに通信システムの選択肢を提示することを規定している。外部端末から指定が「有」の場合には外部端末から選択肢が送信される。後述するように、一旦選択した選択肢およびその選択結果は携帯通信端末内に保存しておき、以後の同じ選択操作を省略することができる。
【００３７】
イベント会場の例では、外部端末Ｄからは時間帯に関係なく、「ワイヤレスＬＡＮ」のモードに指定する情報を送信し、外部端末Ｅからは時間帯に関係なく、「デジタルセルラ」のモードに指定する情報を送信することが規定されている。
【００３８】
図３に示したような通信システム切替仕様５００は、利用する通信システムの決定を外部端末側で行うか、携帯通信端末側で行うかによって、外部端末内に図４に示すような制御データテーブル６００を備えるか、または、携帯通信端末内に図５に示すような制御データテーブル７００を備える、ことにより実装される。
【００３９】
図４に示すように、外部端末の制御データテーブル６００は、外部端末毎に異なる内容のものを用意することができる。図４に示さないが、図４（ａ）の外部端末Ｘの制御データテーブル６００は時間帯に応じて指定する通信システムを異ならせている。図４（ｂ）（ｃ）の外部端末Ｙ，Ｚは固定的に指定する通信端末を決定している。図４に示さないが、指定通信システムとして複数の通信システムの選択肢を用意してもよい。図４に示したような制御データテーブル６００は、サーバ３１０とサーバコントローラ３１１による操作によって、それらの情報を更新してもよい。同様に、外部端末Ｂに内蔵の表示部と操作部によって情報を更新してもよい。
【００４０】
図５は各携帯通信端末内に備える、外部端末識別情報毎に利用する通信システムを定めた制御データテーブル７００の一例を示している。外部端末によっては時間帯によって、利用する通信システムを異ならせることができる。また、外部端末によっては、入場時と出場時で、利用する通信システムを異ならせることができる。このような制御データテーブル７００の内容はユーザが更新できることが好ましい。
【００４１】
図６（ａ）〜（ｄ）に本発明の第１の実施の形態における異なる四つの処理例を示す。この実施の形態は、携帯通信端末において利用する通信システムの指定情報または選択肢情報を外部端末側から携帯通信端末に対して与える場合に相当する。
【００４２】
図６（ａ）では外部端末において、携帯通信端末との非接触ＩＣカード機能の通信時に、自端末内の制御データテーブル６００に予め定められた通信システムの指定情報を携帯通信端末に送信する（Ｓ１）。この情報を受信した携帯通信端末では、その指定に従って、利用する通信システムを設定する（Ｓ２）。これは、外部端末の近傍通過時に、携帯通信端末に対して固定的な通信システムの利用を強制づけるような場合に有用である。
【００４３】
図６（ｂ）は、外部端末が、携帯通信端末との非接触ＩＣカード機能の通信時に現在時刻を確認し（Ｓ３）、その時刻に応じて通信システムを決定する例である（Ｓ４）。この決定された通信システムの指定情報が携帯通信端末に対して送信される（Ｓ５）。携帯通信端末は、この指定に従って、利用する通信システムを設定する（Ｓ６）。これは、携帯通信端末が外部端末を通過する時刻（時間帯）に応じて、携帯通信端末に強制する通信システムを切り替えたい場合に有用である。
【００４４】
図６（ｃ）は、外部端末が、携帯通信端末との非接触ＩＣカード機能の通信時に通信システムの選択肢情報を携帯通信端末に送信する例である（Ｓ７）。選択肢情報を受けた携帯通信端末は、例えば図８に示すような端末画面を用いてユーザにその選択肢を提示し（Ｓ８）、ユーザの選択結果に基づいて、利用する通信システムを設定する（Ｓ９）。これは、携帯通信端末のユーザに対して複数の通信システムの利用が許される場合に、その範囲内でユーザに所望の通信システムを選択させるのに有用である。選択肢は個々の外部端末で異なってもよい。
【００４５】
図６（ｄ）は、図６（ｃ）の場合と同様、外部端末が選択肢情報を携帯通信端末に送信するが、携帯通信端末での処理が異なる。携帯通信端末は、以前に同選択肢情報を受信してその選択結果が保存されている場合に（Ｓ１０，Ｙｅｓ）、ユーザの選択の手間を省いて、その保存されている選択結果に基づいて利用する通信システムを設定する（Ｓ１３）。保存データがない場合には、ユーザに選択肢を提示して（Ｓ１１）、その選択結果を保存し（Ｓ１２）、利用する通信システムとして設定する（Ｓ１３）。保存するか否かはユーザに確認するようにしてもよい。前述のように、外部端末によって選択肢が異なる場合には、外部端末からは外部端末の識別情報を送信し、携帯通信端末内には外部端末識別情報毎に選択結果を保存するようにしてもよい。
【００４６】
図７（ａ）〜（ｄ）に本発明の第２の実施の形態における異なる四つの処理例を示す。この実施の形態は、携帯通信端末の側で利用する通信システムの決定を行う場合である。この場合、携帯通信端末の側に通信システムを決定するための手段を備える必要があるが、携帯通信端末側の自由度が向上する。
【００４７】
図７（ａ）では、外部端末から外部端末識別情報を送信する（Ｓ２１）。携帯通信端末は、受信した外部端末情報に基づいて自端末内の制御データテーブル７００を参照し、利用する通信システムを決定し、これを設定する（Ｓ２２）。
【００４８】
図７（ｂ）では、外部端末から外部端末識別情報の送信（Ｓ２１）を受けた携帯通信端末が、現在時刻を確認し（Ｓ２３）、この現在時刻および外部端末識別情報に基づいて、利用する通信システムを決定し、これを設定する（Ｓ２４）。
【００４９】
図７（ｃ）では、外部端末から外部端末識別情報の送信（Ｓ２１）を受けた携帯通信端末が、ユーザに通信システムの選択肢を提示し（Ｓ２５）、ユーザの選択結果に基づいて、利用する通信システムを決定し、これを設定する（Ｓ２６）。図６（ｃ）の場合と異なるのは、通信システムの選択肢を携帯通信端末が保存している点である。携帯通信端末には、外部端末識別情報に応じて異なる選択肢を用意しておいてもよい。
【００５０】
図７（ｄ）では、外部端末から外部端末識別情報の送信（Ｓ２１）を受けた携帯通信端末が、以前の保存データの有無をチェックし（Ｓ２７）、保存結果があればそれを利用し（Ｓ３０）、なければ、ユーザに選択肢を提示して（Ｓ２８）、ユーザの選択結果を保存し（Ｓ２９）、これを利用する（Ｓ３０）。
【００５１】
図９は、本実施の形態における携帯通信端末の動作例を表すフローチャートである。ここでは、図６と図７の双方に対応する形で示してある。携帯通信端末１００には、図５に示したような制御データテーブル６００および本発明の処理のためのアプリケーションのインストール等の初期設定がなされる（Ｓ３１）。これは端末の出荷時でもよいし、出荷後でもよい。初期起動状態がデジタルセルラシステムモードであるとする（Ｓ３２）。ユーザが携帯通信端末をかざして外部端末の設置された例えば入場ゲートを通過したとき（Ｓ３３，Ｙｅｓ）、非接触ＩＣカード部２０と外部端末３０との通信に基づいて通信が行われる。ついで、セキュリティ手順等を含む非接触ＩＣカード通信路確立制御が行われる（Ｓ３４）。
【００５２】
携帯通信端末の非接触ＩＣカード部２０は、外部端末からその端末識別情報等（あれば通信システム指定情報も）を受信する（Ｓ３５）。携帯通信端末の制御部５は、そのような情報を非接触ＩＣカード部２０から受信して、使用する通信システムを選択することが可能である。外部端末から、端末識別情報に加えて、使用する通信システムの指示がある場合には、その通信システムのみを使用することが強制される。もし、ゲート通過後に起動する通信システムが、現在起動中のシステムと異なる場合には、モードの切替が必要になるのでその判定を行う（Ｓ３６）。
【００５３】
当該ゲートを通過する際に次に起動する通信システムの選択肢が与えられる場合、ユーザが希望するときには、図８に示したような表示画面にしたがってユーザの選択操作により切り替えてもよい（Ｓ３７，Ｓ３８）。ゲート通過後に起動する通信システムが決定したら（Ｓ３９）、切替元の（現在の）通信システムの停止制御と切替先の通信システムの起動制御を行う。この例では、構内電話ワイヤレス子機モードと、デジタルセルラモードのいずれかが決定される場合を示している。前者の場合にはデジタルセルラシステムモードをＯＦＦにして（Ｓ４０）、構内電話ワイヤレス子機モードをＯＮにする（Ｓ４１）。後者の場合にはデジタルセルラシステムモードをＯＮにして（Ｓ４２）、構内電話ワイヤレス子機モードをＯＦＦにする（Ｓ４３）。
【００５４】
なお、図８の画面例に示すように、項目「４．全ての通信システム」を選択肢として用意した場合には、本発明者が先に特願２００３−１５０５５０号において提案したような、起動するアプリケーションによって利用する通信システムを切り替える技術を利用するようにしてもよい。
【００５５】
図１０は、図９に示した携帯通信端末１００の動作例に対応する外部端末の動作例を表すフローチャートである。外部端末には、あらかじめ図４に示したような制御データテーブル６００および本発明の処理のためのアプリケーションのインストール等の初期設定がなされる（Ｓ５１）。その後、周囲の所定の距離範囲内に非接触ＩＣカード機能を有する携帯通信端末を検出するために常時、ポーリング信号を発生することにより非接触ＩＣカード検出処理を開始する（Ｓ５２）。これに対して携帯通信端末から応答があれば（Ｓ５３，Ｙｅｓ）、非接触ＩＣカード機能の接続認証を含む通信路確立制御を行う（Ｓ５４）。認証ＯＫであれば、当該外部端末内の制御データテーブル６００を参照して携帯通信端末（非接触ＩＣカード部）に情報を送信する（Ｓ５５）。この情報には、本来の非接触ＩＣカード機能の利用時に携帯通信端末に送信される情報の他、端末識別情報および存在する通信システム指定情報等を含む。指定通信システムの決定に時間帯を条件とする場合には現在時刻を参照する。
【００５６】
非接触ＩＣカード機能が検出されない場合であって、外部端末の表示部３４と操作部３５等における制御データテーブル６００（図４）の更新操作があった場合（Ｓ５６，Ｙｅｓ）、または、サーバ３１０およびサーバコントローラ３１１からの遠隔操作によって制御データテーブル６００の更新通知があった場合（Ｓ５７，Ｙｅｓ）には、携帯端末（非接触ＩＣカード部）に通知する情報を更新、すなわち制御データテーブル６００の更新を行う（Ｓ５８）。
【００５７】
なお、携帯通信端末において時間帯を判断する場合、時間帯の境界時点で時刻割り込みを行い、指定通信システムを一つだけ設定する型の制御データテーブル６００の指定通信システムを書き替えるようにすることも可能である。
【００５８】
本実施の形態によれば、例えば自動開錠機能付きのドア、会社内のセキュリティ、もしくは住居のセキュリティを考慮したオートロック機能付きのドア等の、非接触ＩＣカード機能の利用による開閉を契機として、固定電話の子機機能に自動で切り替えたり、携帯電話機能に切り替えたりすることが可能となる。
【００５９】
さらに外部端末が、外部端末通過後に使用可能な無線通信システム情報を携帯端末に通知することによって、または、通信携帯端末が外部端末から受信した情報に応じて判断することにより、ユーザが設定切替操作を行うことなく、適切な無線通信システムを自動的に選択することができる。例えば出社時の打刻後に有効にすべき無線通信システムを自動的に構内電話のワイヤレス子機に切り替えることができるので、設定ミスを防ぐ効果とユーザの利便性の向上を図ることができる。また、ユーザに利用する無線通信システムの選択肢を与えて選択させる場合でも、その選択結果を保存しておくことにより、以後の同様の場面で自動的に同じ選択を行うことができるようになる。
【００６０】
以上、本発明の好適な実施の形態について説明したが、上記で言及した以外にも種々の変形、変更が可能である．例えば、外部端末としては、出退勤の打刻機、オートロック機能付きドアの他、駅もしくは施設の改札等が含まれる。
【００６１】
また、外部端末は携帯端末のユーザが通過するゲートに設置されたものを想定したが、必ずしも「通過」を必須の条件とするものではない。例えば、「通過」ではなく、ユーザが単に外部端末に接近して離れるような動作であってもよい。
【００６２】
通信システムの切替時にどの通信システムに切り替わったかを表示画面上の表示や音声等の通知によりユーザに報知するようにしてもよい。
【図面の簡単な説明】
【００６３】
【図１】本発明の実施の形態における典型的な実施の形態の模式図を示す図である。
【図２】本発明の非接触ＩＣカード機能を実装した携帯通信端末のブロック構成図である。
【図３】本発明の実施の形態における通信システム切替仕様の一例をテーブル形式で模式的に示す図である。
【図４】本発明の実施の形態において、利用する通信システムの決定を外部端末側で行うための制御データテーブルを示す図である。
【図５】本発明の実施の形態において、利用する通信システムの決定を携帯通信端末側で行うための制御データテーブルを示す図である。
【図６】本発明の第１の実施の形態における異なる四つの処理例を示す説明図である。
【図７】本発明の第２の実施の形態における異なる四つの処理例を示す説明図である。
【図８】本発明の実施の形態における端末画面を用いてユーザにその選択肢を提示する例の説明図である。
【図９】本発明の実施の形態における携帯通信端末の動作例を表すフローチャートである。
【図１０】図９に示した携帯通信端末の動作例に対応する外部端末の動作例を表すフローチャートである。
【符号の説明】
【００６４】
２…音声出力部、３…デジタル信号処理部、４…入出力部、５…制御部、６…表示部、７…操作部、８…外部Ｉ／Ｆ部、９…電源部、１０…スピーカ、１１，１２，１３…アンテナ、１５…マイク、１６…ＲＴＣ部、２０…非接触ＩＣカード部、２３…無線通信部、３０…外部端末、３１…リーダ／ライタ（Ｒ／Ｗ）モジュール、３４…表示部、３５…操作部、３６…外部Ｉ／Ｆ部、３８…アンテナ、４１，４２…ＲＦ入出力部、５１…カードインタフェースモジュール、１００…携帯通信端末装置、３００，３０１，３０２…外部端末装置、３１０…サーバ、３１１…サーバコントローラ、５００…通信システム切替仕様、６００，７００…制御データテーブル
【図１】
2006033552.tif 000003
【図２】
2006033552.tif 000004
【図３】
2006033552.tif 000005
【図４】
2006033552.tif 000006
【図５】
2006033552.tif 000007
【図６】
2006033552.tif 000008
【図７】
2006033552.tif 000009
【図８】
2006033552.tif 000010
【図９】
2006033552.tif 000011
【図１０】
2006033552.tif 000012